(57)【要約】【課題】  光ディスクに記録されたＨＤＭＩの音声信号が５．１チャンネルで再生して出力が可能な場合に、Ｅ−ＥＤＩＤにスピーカ情報がない場合であっても、ユーザが好みに合わせてＨＤＭＩの音声信号の出力チャンネル数を設定することができるようにする。【解決手段】  光ディスクに記録されたＨＤＭＩの音声信号のＥ−ＥＤＩＤを取得して、取得されたＥ−ＥＤＩＤにスピーカ情報があるか否かを判別し、Ｅ−ＥＤＩＤにスピーカ情報があると判別された場合、取得されたＥ−ＥＤＩＤのスピーカ情報に基づいてＨＤＭＩの音声信号を出力し、Ｅ−ＥＤＩＤにスピーカ情報がないと判別された場合、ＨＤＭＩの音声信号の出力チャンネル数を設定するユーザ設定画面を表示し、ユーザ設定画面に表示されたＨＤＭＩの音声信号の出力チャンネルを選択して設定し、その設定に基づいてＨＤＭＩの音声信号を出力するようにする。【選択図】        図１
2007058930.tif 000002
【特許請求の範囲】
【請求項１】
光ディスクに記録された映像音声信号を再生して出力するディスク再生装置であって、
光ディスクに記録されたＨＤＭＩの音声信号のＥ−ＥＤＩＤを取得する取得手段と、前記取得手段により取得されたＥ−ＥＤＩＤにスピーカ情報があるか否かを判別する判別手段と、前記判別手段が前記取得手段により取得されたＥ−ＥＤＩＤにスピーカ情報があると判別した場合、前記取得手段により取得されたＥ−ＥＤＩＤのスピーカ情報に基づいてＨＤＭＩの音声信号を出力する第１の音声出力手段と、前記判別手段が前記取得手段により取得されたＥ−ＥＤＩＤにスピーカ情報がないと判別した場合、ＨＤＭＩの音声信号の出力チャンネル数を設定するユーザ設定画面を表示する表示手段と、前記表示手段により表示されたユーザ設定画面の出力チャンネルを選択してＨＤＭＩの音声信号の出力チャンネル数を設定する設定手段と、前記設定手段によりＨＤＭＩの音声信号の出力チャンネル数が設定された場合、前記設定手段により設定された出力チャンネル数でＨＤＭＩの音声信号を出力するとともに、前記設定手段によりＨＤＭＩの音声信号の出力チャンネル数が設定されない場合、予め設定された２チャンネルにダウンミックスしてＨＤＭＩの音声信号を出力する第２の音声出力手段とを備えたことを特徴とするディスク再生装置。
【請求項２】
光ディスクに記録された映像音声信号を再生して出力するディスク再生装置であって、
光ディスクに記録されたＨＤＭＩの音声信号のＥ−ＥＤＩＤを取得する取得手段と、前記取得手段により取得されたＥ−ＥＤＩＤにスピーカ情報があるか否かを判別する判別手段と、前記判別手段が前記取得手段により取得されたＥ−ＥＤＩＤにスピーカ情報があると判別した場合、前記取得手段により取得されたＥ−ＥＤＩＤのスピーカ情報に基づいてＨＤＭＩの音声信号を出力する第１の音声出力手段と、前記判別手段が前記取得手段により取得されたＥ−ＥＤＩＤにスピーカ情報がないと判別した場合、ＨＤＭＩの音声信号の出力チャンネル数を設定するユーザ設定画面を表示する表示手段と、前記表示手段により表示されたユーザ設定画面の出力チャンネルを選択してＨＤＭＩの音声信号の出力チャンネル数を設定する設定手段と、前記設定手段による出力チャンネル数の設定に基づいてＨＤＭＩの音声信号を出力する第２の音声出力手段とを備えたことを特徴とするディスク再生装置。
【請求項３】
前記第２の音声出力手段は、前記設定手段によりＨＤＭＩの音声信号の出力チャンネル数が設定された場合、前記設定手段により設定された出力チャンネル数でＨＤＭＩの音声信号を出力する音声出力手段であることを特徴とする請求項２記載のディスク再生装置。
【請求項４】
前記第２の音声出力手段は、前記設定手段によりＨＤＭＩの音声信号の出力チャンネル数が設定されない場合、予め設定された２チャンネルにダウンミックスしてＨＤＭＩの音声信号を出力する音声出力手段であることを特徴とする請求項２記載のディスク再生装置。
【発明の詳細な説明】
【技術分野】
【０００１】
本発明は、光ディスクに記録された映像音声信号を再生して出力するディスク再生装置に係り、特にＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）の映像音声信号の再生情報のＥ−ＥＤＩＤ（Ｅｎｈａｎｃｅｄ−Ｅｘｔｅｎｄｅｄ  Ｄｉｓｐｌａｙ  Ｉｄｅｎｔｉｆｉｃａｔｉｏｎ  Ｄａｔａ）にスピーカ情報がない場合に、音声信号を出力するチャンネル数をユーザが設定することができるディスク再生装置に関する。
【背景技術】
【０００２】
一般に、Ｅ−ＥＤＩＤにスピーカ情報がある場合、５．１チャンネルに対応したレシーバに接続して、光ディスクに記録された５．１チャンネルのＨＤＭＩの音声信号を再生して、再生されたＨＤＭＩの音声を５．１チャネルで聴くことができる。しかし、スピーカ情報は必須でないためＥ−ＥＤＩＤにスピーカ情報がない場合があり、Ｅ−ＥＤＩＤにスピーカ情報がない場合、光ディスクに記録されたＨＤＭＩの音声信号が５．１チャンネルの音声信号であっても、２チャンネルの音声出力にダウンミックスされて出力される。そのため、Ｅ−ＥＤＩＤにスピーカ情報がない場合に、５．１チャンネルに対応したレシーバに接続して、光ディスクに記録された５．１チャンネルのＨＤＭＩの音声信号を再生しても、再生された５．１チャンネルのＨＤＭＩの音声信号が２チャンネルにダウンミックスされて左右のスピーカからしか出力されないという問題点があった。
背景技術としては、スピーカシステムのスピーカ情報を検出し、音声チャンネルの数や種類を含む信号情報を抽出して、検出されたスピーカ情報と抽出された信号情報とに基づき、スピーカシステムと信号情報とに応じた各音声チャンネルに対する信号処理を選択するようにしたものがあった（例えば、特許文献１参照）。
また、音声信号の出力線路への出力を制御する出力制御情報に基づいて出力装置を制御し、出力制御情報を外部に送信して出力制御情報を受信し、受信された出力制御情報に基づいて音声信号の出力チャンネルを決定し、取得した音声情報から決定された出力チャンネルに対応した音声信号を出力するようにしたものがあった（例えば、特許文献２参照）。
また、入力音声信号のチャンネル構成とスピーカが接続された出力チャンネル構成とにより変換情報の供給を受けて、変換情報に基づいて入力音声信号の各チャンネルの音声信号から出力チャンネル構成に応じた各出力チャンネルの音声信号を出力するようにしたものがあった（例えば、特許文献３参照）。
【特許文献１】特開２００３−２０４６００号公報
【特許文献２】特開２００４−９６２３８号公報
【特許文献３】特開２００４−３１２４８４号公報
【発明の開示】
【発明が解決しようとする課題】
【０００３】
しかしながら、背景技術で述べたもののうち最初のものにおいては、スピーカシステムのスピーカ情報を検出し、音声チャンネルの数や種類を含む信号情報を抽出して、検出されたスピーカ情報と抽出された信号情報とに基づき、スピーカシステムと信号情報とに応じた各音声チャンネルに対する信号処理を選択することができたが、接続されているスピーカシステムのスピーカ情報を検出して、接続されているスピーカシステムに応じて音声信号を処理して出力するようにしたものであって、Ｅ−ＥＤＩＤにスピーカ情報がない場合に、ユーザが好みに合わせてＨＤＭＩの音声信号の出力チャンネル数を設定することができるようにしたものではなかった。
また、次のものにおいては、音声信号の出力線路への出力を制御する出力制御情報に基づいて出力装置を制御し、出力制御情報を外部に送信して出力制御情報を受信し、受信された出力制御情報に基づいて音声信号の出力チャンネルを決定し、取得した音声情報から決定された出力チャンネルに対応した音声信号を出力することができたが、マルチ音声信号を出力するアンプの出力制御情報に基づいて音声信号の出力チャンネル数を決定し、必要に応じてダウンミックスするようにしたものであって、Ｅ−ＥＤＩＤにスピーカ情報がない場合に、ユーザが好みに合わせてＨＤＭＩの音声信号の出力チャンネル数を設定することができるようにしたものではなかった。
また、更にその次のものにおいては、入力音声信号のチャンネル構成とスピーカが接続された出力チャンネル構成とにより変換情報の供給を受けて、変換情報に基づいて入力音声信号の各チャンネルの音声信号から出力チャンネル構成に応じた各出力チャンネルの音声信号を出力することができたが、入力信号のチャンネル構成と出力チャンネル構成に応じて出力チャンネル用の音声信号を形成するようにしたものであって、Ｅ−ＥＤＩＤにスピーカ情報がない場合に、ユーザが好みに合わせてＨＤＭＩの音声信号の出力チャンネル数を設定することができるようにしたものではなかった。
本発明は、背景技術の有するこのような問題点に鑑みてなされたものであり、その目的とするところは、光ディスクに記録されたＨＤＭＩの音声信号が５．１チャンネルで再生して出力が可能な場合に、Ｅ−ＥＤＩＤにスピーカ情報がない場合であっても、ユーザが好みに合わせてＨＤＭＩの音声信号の出力チャンネル数を設定することができるディスク再生装置を提供しようとするものである。
【課題を解決するための手段】
【０００４】
上記目的を達成するため本発明においては、光ディスクに記録された映像音声信号を再生して出力するディスク再生装置であって、光ディスクに記録されたＨＤＭＩの音声信号のＥ−ＥＤＩＤを取得する取得手段と、前記取得手段により取得されたＥ−ＥＤＩＤにスピーカ情報があるか否かを判別する判別手段と、前記判別手段が前記取得手段により取得されたＥ−ＥＤＩＤにスピーカ情報があると判別した場合、前記取得手段により取得されたＥ−ＥＤＩＤのスピーカ情報に基づいてＨＤＭＩの音声信号を出力する第１の音声出力手段と、前記判別手段が前記取得手段により取得されたＥ−ＥＤＩＤにスピーカ情報がないと判別した場合、ＨＤＭＩの音声信号の出力チャンネル数を設定するユーザ設定画面を表示する表示手段と、前記表示手段により表示されたユーザ設定画面の出力チャンネルを選択してＨＤＭＩの音声信号の出力チャンネル数を設定する設定手段と、前記設定手段による出力チャンネル数の設定に基づいてＨＤＭＩの音声信号を出力する第２の音声出力手段とを備える。
前記第２の音声出力手段は、前記設定手段によりＨＤＭＩの音声信号の出力チャンネル数が設定された場合、前記設定手段により設定された出力チャンネル数でＨＤＭＩの音声信号を出力するようにするとよい。
また、前記第２の音声出力手段は、前記設定手段によりＨＤＭＩの音声信号の出力チャンネル数が設定されない場合、予め設定された２チャンネルにダウンミックスしてＨＤＭＩの音声信号を出力するようにするとよい。
これらの手段により、光ディスクに記録されたＨＤＭＩの音声信号が５．１チャンネルで再生して出力が可能な場合に、Ｅ−ＥＤＩＤにスピーカ情報がない場合であっても、ユーザが好みに合わせてＨＤＭＩの音声信号の出力チャンネル数を設定することができる。
【発明の効果】
【０００５】
請求項１記載の発明に係るディスク再生装置によれば、光ディスクに記録されたＨＤＭＩの音声信号のＥ−ＥＤＩＤを取得して、取得されたＥ−ＥＤＩＤにスピーカ情報があるか否かを判別し、取得されたＥ−ＥＤＩＤにスピーカ情報があると判別された場合、取得されたＥ−ＥＤＩＤのスピーカ情報に基づいてＨＤＭＩの音声信号を出力し、取得されたＥ−ＥＤＩＤにスピーカ情報がないと判別された場合、ＨＤＭＩの音声信号の出力チャンネル数を設定するユーザ設定画面を表示し、表示されたユーザ設定画面の出力チャンネルが選択されて、ＨＤＭＩの音声信号の出力チャンネル数が設定された場合、設定された出力チャンネル数でＨＤＭＩの音声信号を出力するとともに、表示されたユーザ設定画面の出力チャンネルが選択されず、ＨＤＭＩの音声信号の出力チャンネル数が設定されない場合、予め設定された２チャンネルにダウンミックスしてＨＤＭＩの音声信号を出力するようにしているので、光ディスクに記録されたＨＤＭＩの音声信号が５．１チャンネルで再生して出力が可能な場合に、Ｅ−ＥＤＩＤにスピーカ情報がない場合であっても、ユーザが好みに合わせてＨＤＭＩの音声信号の出力チャンネル数を設定することができる。
請求項２記載の発明に係るディスク再生装置によれば、光ディスクに記録されたＨＤＭＩの音声信号のＥ−ＥＤＩＤを取得して、取得されたＥ−ＥＤＩＤにスピーカ情報があるか否かを判別し、取得されたＥ−ＥＤＩＤにスピーカ情報があると判別された場合、取得されたＥ−ＥＤＩＤのスピーカ情報に基づいてＨＤＭＩの音声信号を出力し、取得されたＥ−ＥＤＩＤにスピーカ情報がないと判別された場合、ＨＤＭＩの音声信号の出力チャンネル数を設定するユーザ設定画面を表示し、表示されたユーザ設定画面の出力チャンネルの設定に基づいてＨＤＭＩの音声信号を出力するようにしているので、光ディスクに記録されたＨＤＭＩの音声信号が５．１チャンネルで再生して出力が可能な場合に、Ｅ−ＥＤＩＤにスピーカ情報がない場合であっても、ユーザが好みに合わせてＨＤＭＩの音声信号の出力チャンネル数を設定することができる。
請求項３記載の発明に係るディスク再生装置によれば、表示されたユーザ設定画面の出力チャンネルが選択されて、ＨＤＭＩの音声信号の出力チャンネル数が設定された場合、設定された出力チャンネル数でＨＤＭＩの音声信号を出力するようにしているので、光ディスクに記録されたＨＤＭＩの音声信号が５．１チャンネルで再生して出力が可能な場合に、Ｅ−ＥＤＩＤにスピーカ情報がない場合であっても、ユーザが好みに合わせてＨＤＭＩの音声信号の出力チャンネル数を５．１チャンネルに設定することができる。
請求項４記載の発明に係るディスク再生装置によれば、表示されたユーザ設定画面の出力チャンネルが選択されず、ＨＤＭＩの音声信号の出力チャンネル数が設定されない場合、予め設定された２チャンネルにダウンミックスしてＨＤＭＩの音声信号を出力するようにしているので、ユーザがＨＤＭＩの音声信号の出力チャンネル数を選択しない場合、ＨＤＭＩの音声信号を２チャンネルにダウンミックスして出力することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置のユーザ設定画面の表示例を示す図であり、図４は本発明の一実施例のディスク再生装置の動作を示すフローチャートである。
まず、図１の本発明の一実施例のディスク再生装置の構成を示すブロック図を基に説明する。
ディスク再生装置１は、光ディスク２にレーザ光を照射してその反射光を検出し、光ディスク２に記録されている映像音声信号を読み出す光ピックアップ３と、光ピックアップ３を光ディスク２の半径方向に移動させるスレッドモータ４と、光ディスク２を回転させるスピンドルモータ５と、スレッドモータ４の回転方向、回転速度とスピンドルモータ５の回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声信号のＲＦ（Ｒａｄｉｏ  Ｆｒｅｑｕｅｎｃｙ）信号を増幅するＲＦ増幅回路７と、光ピックアップ３により読み出された映像音声信号を基準クロックに基づいて同期検出して復調し、復調された映像音声信号の誤りを訂正して、所定の圧縮方式に基づいて圧縮された映像音声信号を伸張し、復号して映像音声信号を再生する信号処理回路８と、文字情報信号を映像信号に重畳して、文字情報をモニタ装置４０の画面に表示するＯＳＤ（Ｏｎ−Ｓｃｒｅｅｎ  Ｃｈａｒａｃｔｅｒ  Ｄｉｓｐｌａｙ）回路９と、左スピーカ３０ａ、右スピーカ３０ｂ、センタスピーカ３０ｃ、サブウーファスピーカ３０ｄ、サラウンド左スピーカ３０ｅ、サラウンド右スピーカ３０ｆに出力する音声信号の出力チャンネル数を制御し、所定のチャンネル数で音声信号を増幅して出力する音声出力制御／増幅回路１０と、ディスク再生装置１のシステム全体を制御するマイコン１１と、リモコン装置２０から送信された赤外線信号のリモコン信号を受信して、所定の電気信号に変換するリモコン受信部１２とで構成されている。
また、リモコン装置２０は、図２に示すように、モニタ装置４０の画面に表示された選択項目を選択するカーソルキー２０ａ、カーソルキー２０ａにより選択された選択項目の選択を決定する決定キー２０ｂ等の複数の操作キーが設けられていて、それらの操作キーを操作することによりディスク再生装置１を所望動作させることができるようになっている。
以上のように構成されたディスク再生装置について、以下その動作について説明する。
リモコン装置２０の操作キーの操作によりディスク再生装置１にローディングされた光ディスク２の再生が指令されると、マイコン１１は、サーボ回路６に制御信号を送出して、スピンドルモータを駆動して光ディスク２を回転させ、スレッドモータ４を駆動して光ピックアップを光ディスク２の半径方向に移動させ、光ピックアップ３のトラッキングサーボとフォーカスサーボとをＯＮにして、光ピックアップ３により光ディスク２に記録されたＨＤＭＩの音声信号の再生情報のＥ−ＥＤＩＤを読み出し、再生が指令されたＨＤＭＩの音声信号の再生情報のＥ−ＥＤＩＤを取得する。
ＨＤＭＩの音声信号の再生情報のＥ−ＥＤＩＤが取得されると、マイコン１は、取得された再生情報のＥ−ＥＤＩＤにスピーカ情報があるか否かを判別し、取得された再生情報のＥ−ＥＤＩＤにスピーカ情報がある場合、音声出力制御／増幅回路１０に制御信号を送出して、取得された再生情報のＥ−ＥＤＩＤのスピーカ情報に基づいてＨＤＭＩの音声信号を左スピーカ３０ａ、右スピーカ３０ｂ、センタスピーカ３０ｃ、サブウーファスピーカ３０ｄ、サラウンド左スピーカ３０ｅ、サラウンド右スピーカ３０ｆに出力する。
また、取得された再生情報のＥ−ＥＤＩＤにスピーカ情報がない場合、マイコン１１は、文字情報と制御信号をＯＳＤ回路９に送出して、ＨＤＭＩの音声信号の出力チャンネル数を設定するユーザ設定画面をモニタ装置４０の画面４０ａに表示する（図３参照）。なお、図３では、選択されたスピーカを枠表示で示し、スピーカを選択するカーソルＡの位置を示している。枠表示された「１．左スピーカＬ、右スピーカＲ」は予め設定されたデフォルト値である。
リモコン装置２０のカーソルキー２０ａと決定キー２０ｂの操作によりモニタ装置４０の画面４０ａに表示されたＨＤＭＩの音声信号の出力チャンネル数を設定するユーザ設定画面に表示されたデフォルト値の「１．左スピーカＬ、右スピーカＲ」に加えて、「２．センタスピーカＣ、サブウーファスピーカＳＷ」、または、「３．サラウンド左スピーカＳＬ、サラウンド右スピーカＳＲ」、或いは「２．センタスピーカＣ、サブウーファスピーカＳＷ」と「３．サラウンド左スピーカＳＬ、サラウンド右スピーカＳＲ」が選択され、ＨＤＭＩの音声信号の出力チャンネル数が設定されると、マイコン１１は、音声出力制御／増幅回路１０に制御信号を送出して、音声出力制御／増幅回路１０により、設定されたチャンネル数でＨＤＭＩの音声信号を左スピーカ３０ａ、右スピーカ３０ｂ、センタスピーカ３０ｃ、サブウーファスピーカ３０ｄ、サラウンド左スピーカ３０ｅ、サラウンド右スピーカ３０ｆに出力する。
また、モニタ装置４０の画面４０ａに表示されたＨＤＭＩの音声信号の出力チャンネルが選択されず、ＨＤＭＩの音声信号の出力チャンネル数が設定されない場合、ユーザ設定画面の表示時間が所定時間経過すると、マイコン１１は、音声出力制御／増幅回路１０に制御信号を送出して、音声出力制御／増幅回路１０によりＨＤＭＩの音声信号を予め設定されたデフォルトの２チャンネルにダウンミックスして左スピーカ３０ａ、右スピーカ３０ｂに出力する。
また、図４の本発明の一実施例のディスク再生装置の動作を示すフローチャートを基に説明する。
ディスク再生装置にローディングされた光ディスクの再生が指令されると、ステップＳ１からステップＳ２に進み、ステップＳ２で、光ディスクに記録されたＨＤＭＩの音声信号の再生情報のＥ−ＥＤＩＤが取得されて、ステップＳ３に進む。
ステップＳ３で、取得された再生情報のＥ−ＥＤＩＤにスピーカ情報があるか否かが判断され、取得された再生情報のＥ−ＥＤＩＤにスピーカ情報がある場合、ステップＳ４に進み、取得された再生情報のＥ−ＥＤＩＤにスピーカ情報がない場合、ステップＳ５に進む。
ステップＳ４で、再生情報のＥ−ＥＤＩＤのスピーカ情報に基づいてＨＤＭＩの音声信号が出力され、ステップＳ９に進んで処理を終了する。
ステップＳ５で、ＨＤＭＩの音声信号の出力チャンネル数を設定するユーザ設定画面が表示され、ステップＳ６に進む。
ステップＳ６で、ユーザ設定画面のＨＤＭＩの音声信号の出力チャンネルが選択されてＨＤＭＩの音声信号の出力チャンネル数が設定されたか否かが判断され、ユーザ設定画面のＨＤＭＩの音声信号の出力チャンネルが選択されてＨＤＭＩの音声信号の出力チャンネル数が設定された場合、ステップＳ８に進み、ユーザ設定画面のＨＤＭＩの音声信号の出力チャンネルが選択されず、ＨＤＭＩの音声信号の出力チャンネル数が設定されない場合、ステップＳ７に進む。
ステップＳ７で、ＨＤＭＩの音声信号が予め設定されたデフォルトの２チャンネルにダウンミックスされて、２チャンネルでＨＤＭＩの音声信号が出力され、ステップＳ９に進んで処理を終了する。
ステップＳ８で、ユーザ設定画面でＨＤＭＩの音声信号の出力チャンネルが選択されて設定されたＨＤＭＩの音声信号の出力チャンネル数でＨＤＭＩの音声信号が出力され、ステップＳ９に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置のユーザ設定画面の表示例を示す図である。
【図４】本発明の一実施例のディスク再生装置の動作を示すフローチャートである。
【符号の説明】
【０００８】
１  ディスク再生装置
２  光ディスク
３  光ピックアップ
４  スレッドモータ
５  スピンドルモータ
６  サーボ回路
７  ＲＦ増幅回路
８  信号処理回路
９  ＯＳＤ回路
１０  音声出力制御／増幅回路
１１  マイコン
１２  リモコン受信部
２０  リモコン装置
３０ａ  左スピーカ
３０ｂ  右スピーカ
３０ｃ  センタスピーカ
３０ｄ  サブウーファスピーカ
３０ｅ  サラウンド左スピーカ
３０ｆ  サラウンド右スピーカ
４０  モニタ装置
４０ａ  画面
【図１】
2007058930.tif 000003
【図２】
2007058930.tif 000004
【図３】
2007058930.tif 000005
【図４】
2007058930.tif 000006